(57)【要約】【課題】画像データを消失させずに記録媒体への記録を行なった後、記録媒体の交換を安全に行なえるデジタルカメラを提供すること。【解決手段】電源スイッチ１７の操作摘み１７ａを左側にスライド操作し、電源をオンしたときには、ロック機構の中のスライド部材１６６１を上昇させ、ロック位置に係止レバーを置く。また電源スイッチ１７の操作摘み１７ａを右側にスライド操作し、電源をオフしたときには、ロック機構１６６の中のスライド部材１６６１を下降させ、アンロック位置に係止レバー１６６２を置く。【選択図】  図５【特許請求の範囲】
【請求項１】
被写体光を捉えて画像データを得て着脱自在に装着された記録媒体に記録するデジタルカメラにおいて、
このデジタルカメラの電源をオンオフする電源スイッチと、
前記電源スイッチのオンおよびオフに応じて、それぞれ、装着されている記録媒体の脱抜を阻止し、および該阻止を解除するロック機構とを備えたことを特徴とするデジタルカメラ。
【請求項２】
前記記録媒体が装着される媒体収容室を開閉自在に覆う開閉蓋を備え、
前記電源スイッチはスライド自在な操作摘みを備えたものであり、
前記ロック機構は、前記開閉蓋を閉状態にロックするロック位置と該開閉蓋を開閉自在な位置に置くアンロック位置との間で回動自在な係止レバーと、
前記操作摘みの、電源をオンおよびオフさせる各位置へのスライド操作に応じてスライドし、前記係止レバーを、それぞれ、前記ロック位置および前記アンロック位置に回動させるスライド部材を備えたものであることを特徴とする請求項１記載のデジタルカメラ。
【発明の詳細な説明】
【０００１】
【発明の属する技術分野】
本発明は、撮影光学系で被写体光を捉えて画像データを得、撮影操作に応じて得られた画像データを記録媒体に記録させるデジタルカメラに関する。
【０００２】
【従来の技術】
デジタルカメラにはフィルムの代わりに可搬型の記録媒体が用いられている。
【０００３】
この可搬型の記録媒体を交換自在にデジタルカメラ内に装着して撮影を行って、撮影を終了したらその記録媒体を抜脱してプリンタを用いて写真印刷が行なわれる。撮影者の中には撮影を行っているときにレリーズ操作を終えたので安心してしまい、その可搬型の記録媒体の交換を行う人がいる。しかし、レリーズ操作後であっても、まだ記録媒体に撮影画像の記録が引き続き行われている場合もある。このような場合に撮影者により記録媒体の交換が行われると、記録媒体に記録されるはずの画像データが消失してしまったり、記録媒体自体が壊れてしまったりすることがある。
【０００４】
そこでこのような問題に対処するため、記録媒体を取り出すときに操作される開閉カバーなどの開閉状態を検知して、開状態であると判定されたときには画像データの記録媒体への記録を停止させる技術が提案されている（例えば特許文献１参照、特許文献２参照）。
【０００５】
しかし特許文献１、特許文献２のものでは記録媒体への記録を停止させるものであるため、記録媒体の交換を行おうとしたときにその記録媒体に記録されていた画像データが途中までしか記録されずにその途中以降の画像データが消失してしまうことがある。これではユーザが記録媒体の交換を安心して行えなくなってしまう。
【０００６】
【特許文献１】
特開平２０００−３０５１３３号公報
【特許文献２】
特開平２０００−２８４１６９号公報
【０００７】
【発明が解決しようとする課題】
本発明は、上記事情に鑑み、ユーザが安心して記録媒体の交換を行えるデジタルカメラを提供することを目的とする。
【０００８】
【課題を解決するための手段】
上記目的を達成する本発明のカメラは、被写体光を捉えて画像データを得て着脱自在に装着された記録媒体に記録するデジタルカメラにおいて、
このデジタルカメラの電源をオンオフする電源スイッチと、
上記電源スイッチのオンおよびオフに応じて、それぞれ、装着されている記録媒体の脱抜を阻止し、およびその阻止を解除するロック機構とを備えたことを特徴とする。
【０００９】
上記本発明のカメラによれば、上記電源スイッチがオフ側に切り替えられない限り、上記ロック機構が作動して記録媒体の脱抜が阻止される。このように電源オン時に撮影を行なっているときには記録媒体の脱抜が阻止され、撮影が終了した後で電源をオフしてからその阻止を解除してゆっくりと記録媒体の抜脱が行われる。その結果、撮影中の画像データが消失するといったことがなくなり、電源がオフされてから記録媒体が脱抜されるので、記録媒体が壊れる心配もなくなる。
【００１０】
ここで、上記記録媒体が装着される媒体収容室を開閉自在に覆う開閉蓋を備え、上記電源スイッチはスライド自在な操作摘みを備えたものであり、
上記ロック機構は、上記開閉蓋を閉状態にロックするロック位置とその開閉蓋を開閉自在な位置に置くアンロック位置との間で回動自在な係止レバーと、
上記操作摘みのスライドに応じて、その操作摘みの、電源をオンおよびオフさせる各位置へのスライド操作に応じて、スライドし、上記係止レバーを、それぞれ、上記ロック位置および上記アンロック位置に回動させるスライド部材を備えたものであることが好ましい。
【００１１】
このように電源スイッチの、操作摘みのスライドに応じて、上記スライド部材を上記係止レバーに作用させ、ロック位置とアンロック位置に回動させるという簡単な構造で、電源オン時に記録媒体の脱抜を阻止することも、電源オフ時にその阻止を解除することもできる。
【００１２】
【発明の実施の形態】
以下、本発明の一実施形態であるデジタルカメラについて説明する。
【００１３】
図１（ａ）は本実施形態のデジタルカメラ１を、斜め前方から見た構成斜視図であり、また、図１（ｂ）はカメラボディ１ａを斜め後ろから見た構成斜視図である。
【００１４】
図１（ａ）に示すようにカメラボディ１ａの中央に撮影レンズ１１が備えられており、その撮影レンズ１１の右斜め上方に閃光発光窓１２が備えられている。またカメラボディ１ａ上面にはレリーズ釦１３とモードダイヤル１４が設けられている。このモードダイヤル１４は４段階に切り替えられるものであり、その４段階に切り替えられた位置に応じて再生モード、撮影モードなどが起動されるようになっている。たとえばこのモードダイヤル１４が撮影モードの位置に切り替えられると、撮影レンズ１１により被写体が捉えられ、図１（ｂ）に示すカメラボディ背面側にあるＬＣＤ画面１５上にその捉えられた被写体光に基づくスルー画像が表示される。ユーザによりそのスルー画像を視ながらフレーミングが行われ、レリーズ釦１３が押下され撮影が行なわれる。このレリーズ釦１３が押下され、撮影が行われたらそのレリーズ釦１３の押下に応じて得られた画像データが記録媒体に記録される。この記録媒体はカメラボディ内部にある媒体収容室１０ａ内に装着されており、この媒体収容室１０ａには、図１（ａ）、図１（ｂ）に示すような開閉蓋１６が備えられている。この開閉蓋１６は回動自在になっており、ユーザは、この開閉蓋１６を回動させ、媒体収容室１０ａの挿入口を外から見えるように露出させ、その露出させた挿入口１００ａを通して記録媒体を挿着したり、その挿入口１００ａから記録媒体を脱抜したりする。この開閉蓋１６周辺の構成については後述する。
【００１５】
この媒体収容室１０ａに記録媒体が装着されて開閉蓋１６が閉じられた状態でモードダイヤル１４が再生モードの位置に切り替えられると、媒体収容室１０ａ内に装着されている記録媒体に記録されている画像データが撮影順序の新しい順に読み出されてその読み出された画像データに基づく画像がＬＣＤパネル１５に表示される。
【００１６】
なお、その媒体収容室１０ａの反対の側には電池室１０ｄが設けられており、この電池室１０ｄに電池が装着されている状態で、図１（ｂ）に示すＬＣＤパネル１５上方にある電源スイッチ１７の操作摘み１７ａがオン側にスライド操作されたら、その装着されている電池が電源となって図１（ａ）、図１（ｂ）に示すデジタルカメラが動作する。
【００１７】
この電源スイッチ１７は、スライド自在な操作摘み１７ａを備えたものであり、その操作摘み１７ａが左側にスライド操作されたら電源がオンし、右側にスライド操作されたら電源がオフする。
【００１８】
図２は開閉蓋１６と媒体収容室１０ａとの関わりを示す図である。
【００１９】
図２に示すようにカメラボディ１ａ内の媒体収容室１０ａにはこの媒体収容室１０ａの挿入口１００ａを塞ぐように、回動自在な開閉蓋１６が備えられており、その開閉蓋１６が所定の位置まで引き出されたら、図２に示すように開閉蓋１６が下方に回動するようになっている。
【００２０】
図２の右側には記録媒体が装着あるいは脱抜されるときに操作される開閉蓋１６の構成を抜き出し、示してある。双方の図を参照しながら開閉蓋１６の構成および開閉操作を説明する。
【００２１】
その抜き出した図に示すように開閉蓋１６には一端にシャフトを通す中空部１６１ａを備えた円筒部１６１が設けられている。その円筒部１６１の中空部１６１ａにはカメラボディ１ａ側に設けられている長孔１０１ａに係合しているシャフト１０２ａが挿通されている。この開閉蓋１６が長孔１０１ａに沿って引き出され、開閉蓋１６の円筒中空部に挿通されているそのシャフト１０２ａが長孔１０１ａの端部まで引き出されると、開閉蓋１６がシャフト１０２ａを支軸にして回動するようになっている。
【００２２】
また、円筒部１６１と反対側の端部には係止爪１６２，１６３が距離を隔てて２つ設けられており、それら２つの係止爪１６２，１６３の間に、後述する係止レバーと係合する突起部１６４が設けられている。これら２つの係止爪１６２，１６３がカメラボディ側に設けられた、それら係止爪１６２，１６３を受け入れる受入部１０３ａ，１０４ａにそれぞれ嵌め込まれると、開閉蓋１６が閉じた状態で保持される。
【００２３】
このデジタルカメラ１に記録媒体を装着するときには閉じた状態の開閉蓋１６を開けて記録媒体の装着が行われた後、開閉蓋１６が閉じられ撮影が行なわれるので、まず開閉蓋の開閉操作のうち、開操作を説明し、その後行われる閉操作を順に説明する。
【００２４】
この閉じた状態の開閉蓋１６がカメラボディの底面に沿って引き出されると、係止爪１６２，１６３が受入部１０１ａ，１０１ｂから外れる。さらに開閉蓋１６が所定の位置まで引き出されたら、図２に示すようにシャフト１０２ａを支軸として下方に開閉蓋１６が回動される。そうすると媒体収容室１０ａの挿入口１００ａの姿が外側から見えるようになり、その見えるようになった挿入口１００ａから記録媒体が媒体収容室１６ａの奥まで挿入され、記録媒体がデジタルカメラ１に装着される。
【００２５】
記録媒体がデジタルカメラ１に装着された後、今度は図２に示すように下方に回動されていた開閉蓋１６を水平状態になるまで回動し、受入部１０３ａ，１０４ａに係止爪１６２，１６３それぞれを嵌め込むように開閉蓋１６を押し込み、開閉蓋１６の係止爪１６３，１６４それぞれをカメラボディ側の受入部１０３ａ，１０３４ａに嵌め込むと開閉蓋１６が閉じた状態になる。このように記録媒体が装着され、開閉蓋１６が閉じた状態になったら、撮影を行える状態になる。
【００２６】
このような開閉操作を行うに当たり、本実施形態のデジタルカメラ１にはユーザに操作感覚を与えるための工夫が施されているので簡単に説明しておく。
【００２７】
図２の右側に示すように開閉蓋１６の中央部には、一部に丸みを持たせた折曲部を有する板バネ１６５ａが配設されており、この板バネは開閉蓋１６の中央に在る円柱状の固定部１６５にネジ１６５ｂで固定されている。
【００２８】
図３は、その板バネ１６５ａの作用を説明する図である。
【００２９】
図３に示すようにカメラボディ１ａ側にはその板バネ１６５ａの折曲部と係合する凸部１０ｃが設けられており、開閉蓋１６が引き出され、所定の位置まで引き出されたときにこの凸部１０ｃに板バネ１６５ａの折曲部を係合させるようにしている。開閉蓋１６が引き出され、その板バネ１６５ａの折曲部がその凸部１０ｃを超えようとしたときに、開閉蓋１６が図２に示すように下方へ回動されるので、この凸部１０ｃを超えるときの板バネ１６５の反発力がユーザにとってはクリック感になり、心地良い操作感覚をユーザに与えることができる。また開閉蓋１６がその凸部１０ｃを超えるように引き出されない限り、開閉蓋１６が水平状態に保たれたままになるので、急に開閉蓋１６が回動してしまうといったことが防止される。
【００３０】
このようにして開閉蓋１６が操作され、記録媒体の着脱が行われる。課題にも掲げたとおり、この記録媒体の脱抜が画像データの記録中に行われると、記録媒体に記録されるはずの画像データが消失してしまう。そこで、本実施形態のデジタルカメラ１には、画像データの記録中に、この記録媒体の脱抜が行われることを防止するため、電源スイッチ１７のオンおよびオフに応じてそれぞれ、装着されている記録媒体の脱抜を阻止し、およびその阻止を解除するロック機構が設けられている。
【００３１】
図４はそのロック機構を示す分解図である。
【００３２】
電源スイッチ１７はスライド自在な操作摘み１７ａを備えたものであり、ロック機構は、開閉蓋１６を閉状態にロックするロック位置と、その開閉蓋１６を開閉自在な状態に置くアンロック位置との間で回動自在な係止レバー１６６２と、前記操作摘み１７ａの、電源をオンおよびオフさせる各位置へのスライド操作に応じてスライドし、係止レバー１６６２を、それぞれ、ロック位置およびアンロック位置に回動させるスライド部材１６６１を具備している。
【００３３】
図４に示すように、スライド部材１６６１には３つのガイド孔が設けられているので、これらを区別するため、図４の左上方のガイド孔１６６ａを第１のガイド孔、図４の右下方の孔１６６ｂを第２のガイド孔、その第２のガイド孔上方のガイド孔１６６ｃを第３のガイド孔として以下記載する。
【００３４】
第１のガイド孔１６６ａ，第２のガイド孔１６６ｂそれぞれは距離を隔てて並行に設けられ、それぞれカメラボディ側にあるガイドピンに係合される。残りの第３のガイド孔は傾斜を有したものであり、その傾斜に操作摘み１７ａが係合され、操作摘み１７ａがオン側にスライド操作されたら、その第３のガイド孔の傾斜の右下に操作摘みが位置し、スライド部材１６６１を上昇させ、操作摘み１７ａがオフ側にスライド操作されたら、操作摘み１７ａがその傾斜の左上に位置し、スライド部材１６６１を下降させる。この操作摘みの水平移動に応じてスライド部材の上下動をスムーズに行わせるためにスライド部材１６６１の下方にはスライド部材を上方向に付勢するバネ部材１６６５が設けられている。
【００３５】
このスライド部材１６６１の上下動を利用してそのスライド部材１６６１の下方に設けた回動自在な係止レバー１６６２を回動させる。その係止レバー１６６２はくの字状のものでその中央にシャフト１６６３を受け入れる孔１６６２ａを備えたものであり、この孔１６６２ａにカメラボディ側に設けられているシャフト１６６３が挿通され、回動自在に支持される。このくの字状の係止レバー１６６２の孔１６６２ａに挿通されるシャフト１６６３には捩りバネ１６６３が巻回されており、その捩りバネ１６６３の両端部がそれぞれくの字状の係止レバー１６６を時計方向に付勢するように係止レバー１６６２の両端部に係合されている。このようにしておくと、電源スイッチ１７の操作摘み１７ａをオフ側にスライド操作し、スライド部材１６６１をバネ部材により上昇させるとスライド部材１６６１が係止レバー１６６２に係合しないので、捩りバネ１６６４の付勢力により係止レバー１６６２が時計方向に回動され、係止レバー１６６２がロック位置に置かれる。また電源スイッチ１７の操作摘み１７ａを電源オフ側にスライド操作し、操作摘みを第３のガイド孔の左上部に位置させたときには、スライド部材１６６１が下降し、そのスライド部材１６６１と係止レバー１６６２が係合し、スライド部材の下端部により係止レバー１６６２が半時計方向に回動され、係止レバー１６６２がアンロック位置に置かれる。
【００３６】
図５（ａ），図５（ｂ）を用いて係止レバー１６６２の作用を詳細に説明する。
【００３７】
図５（ａ）はスライド部材１６６１と係止レバー１６６２とが係合せずにロック位置に置かれ、開閉蓋１６の閉状態が保たれたときの状態を示す図、またスライド部材１６６１と係止レバー１６６２とが係合して係止レバー１６６２がアンロック位置に置かれ、開閉蓋１６が開閉自在な状態になったときの状態を示す図である。
【００３８】
図５（ａ）には電源スイッチ１７の操作摘み１７ａが第３のガイド孔の右下方に位置し、スライド部材１６６１が上昇して、スライド部材が係止レバーに係合しない状態が、図５（ｂ）には電源スイッチの操作摘み１７ａが第３のガイド孔の左上方に位置し、スライド部材が下降してスライド部材が係止レバーに係合した状態が示されている。
【００３９】
図５（ａ）に示すように操作摘み１７ａがオン側にスライド操作され、第３のガイド孔の右下方に位置すると、スライド部材１６６１がバネ部材により付勢され上昇する。操作摘み１７ａはその位置に保たれるため、スライド部材１６６１は上昇したままになり、スライド部材１６６１と係止レバー１６６２が係合せず、係止レバー１６６２が捩りバネ１６６４により付勢され、時計方向に回動される。そうすると係止レバー１６６２がロック位置に置かれ、係止レバー１６６２が開閉蓋１６に係合したままになる。この係合により開閉蓋１６の閉状態が保たれ、開閉蓋１６の開操作が禁止される。つまり電源スイッチ１７の操作摘み１７ａがオン側にスライド操作されたときには、記録媒体の脱抜が阻止される。この阻止を解除するためには電源スイッチ１７の操作摘み１７ａをオフ側にスライド操作してスライド部材を下降させる必要がある。
【００４０】
図５（ｂ）に示すように操作摘み１７ａが電源オフ側にスライド操作されると、スライド部材１６６１が下降し、スライド部材１６６１と係止レバー１６６２が係合する。そうするとスライド部材１６６１の下端部に係止レバー１６６２の一端が押され、係止レバー１６６２が半時計方向に回動され、係止レバー１６６２がアンロック位置に置かれる。このときには係止レバー１６６２と開閉蓋１６とが係合しないので、開閉蓋１６が開閉自在になり、記録媒体の装着、抜脱を自在に行えるようになる。
【００４１】
このように電源オン時には上記ロック機構により係止レバーをロック位置に置くことにより記録媒体の脱抜を阻止し、電源オフ時にはそのロック機構により係止レバーをアンロック位置に置くことによりその阻止を解除することができる。したがって電源がオンされている間は記録媒体の脱抜が阻止されるので、画像データの記録中に記録媒体の脱抜が行われて画像データが消失するといったことがなくなる。また撮影を終了して電源がオフされた時にはその阻止が解除され、記録媒体の脱抜を行えるので、記録媒体の非動作時にユーザは安心して記録媒体の交換を行える。
【００４２】
なお本実施形態においては電源スイッチのオンオフ操作に応じて記録媒体の抜脱を阻止し、およびその阻止を解除するロック機構を設けた例を挙げたが、本発明はこれに拠らず、画像データの記録中であるか否かを検出する検出手段をデジタルカメラ内部に設け、そのあるか否かに応じて記録媒体の脱抜を阻止する、およびその阻止を解除するロック機構を作動させるようなものであっても良い。
【００４３】
【発明の効果】
以上、説明したように、本発明のカメラによれば、ユーザが安心して記録媒体の交換を行えるデジタルカメラを提供することができる。
【図面の簡単な説明】
【図１（ａ）】本実施形態であるデジタルカメラを、前方斜め上方から見た斜視図である。
【図１（ｂ）】本実施形態であるデジタルカメラを、後方斜め上方から見た斜視図である。
【図２】媒体収容室の構成を示す図である。
【図３】図２に示す板バネの作用を説明する図である。
【図４】本発明にいうロック機構を説明する図である。
【図５（ａ）】係止レバーの作用を詳細に説明する。
【図５（ｂ）】係止レバーの作用を詳細に説明する。
【符号の説明】
１    カメラ
１ａ    カメラボディ
１０ａ    媒体収容室
１００ａ    挿入口
１０１ａ    長孔
１０２ａ    開閉蓋支持用シャフト
１０３ａ    係止爪受入部
１０４ａ    係止爪受入部
１０ｃ    凸部
１０ｄ    電池室
１１    撮影レンズ
１２    閃光発光窓
１３    レリーズ釦
１４    モードダイヤル
１５    ＬＣＤパネル
１６    開閉蓋
１６１    板状の部材
１６１１    円筒部
１６１１ａ    貫通孔
１６２      係止爪
１６３      係止爪
１６４      突起部
１６４ａ    凹部
１６５    固定部
１６５ａ    板バネ
１６５ｂ    ネジ
１６６    ロック機構
１６６１    スライド部材
１６６ａ    第１のガイド孔
１６６ｂ    第２のガイド孔
１６６ｃ    第３のガイド孔
１６６２    係止レバー
１６６２ａ    孔
１６６３    係止レバー用シャフト
１６６４    捩りバネ
１７    電源スイッチ
１７ａ    操作摘み
【図１（ａ）】
2004312219.tif 000002
【図１（ｂ）】
2004312219.tif 000003
【図２】
2004312219.tif 000004
【図３】
2004312219.tif 000005
【図４】
2004312219.tif 000006
【図５（ａ）】
2004312219.tif 000007
【図５（ｂ）】
2004312219.tif 000008